(57)【要約】【課題】制御ボックス用の冷却手段を有する、信頼性が高く確実な空気調和装置を提供すること。【解決手段】本願発明によれば、制御ボックス５用の冷却手段６を備える空気調和装置の屋外ユニット１が開示される。冷却手段は、空気調和機が不都合な高温の気候条件において正常に動作することができるように、熱の蓄積を制御するように適合される。冷却手段６は、制御ボックス５内に小型の熱交換器１０を配置することによって実現され、熱交換器１０は、空気調和機が動作しているときに制御ボックス５を冷やし、それにより制御ボックス５の内部のすべての電子構成部品を含む制御基板８などの発熱構成部品を冷却するように、制御ボックス５内に冷却空気を強制的に循環させるための冷却ファン１１をさらに有する。【選択図】図３
2014202398.tif 000002
【特許請求の範囲】
【請求項１】
少なくとも１つの主ハウジング（２）と、屋外ユニットのファン（３）と、圧縮器（４）と、屋外ユニットの熱交換器（２２）と、前記主ハウジング（２）の中に設置された制御ボックス（５）とを有する空気調和装置の屋外ユニット（１）において、
前記制御ボックス（５）が囲まれた構造体であり、また前記制御ボックス（５）が、動作中に熱を発する発熱構成部品と、前記制御ボックス（５）の内部に設置された冷却手段（６）であって、前記空気調和装置が動作しているときに該空気調和装置の冷媒を利用する冷却手段（６）とを備えることを特徴とする空気調和装置の屋外ユニット（１）。
【請求項２】
前記冷却手段（６）が、前記空気調和機の冷却サイクルと物理的な流体接続を有する熱交換器（１０）、及び前記熱交換器（１０）と協働するファン（１１）を有することをさらに特徴とする請求項１に記載の空気調和装置の屋外ユニット（１）。
【請求項３】
前記発熱構成部品が、該発熱構成部品を備えた制御基板（８）をさらに含み、空気の流れ回路が、前記制御基板（８）の両側に沿って構成されることをさらに特徴とする請求項２に記載の空気調和装置の屋外ユニット（１）。
【請求項４】
ヒート・シンク（１２）が、前記制御ボックス（５）内に前記発熱構成部品と共に取り付けられ、前記ファン（１１）が、冷却された空気を前記ヒート・シンク（１２）に向かって吹き付けるように設置されることをさらに特徴とする請求項２に記載の空気調和装置の屋外ユニット（１）。
【請求項５】
前記制御ボックス（５）は、前記発熱構成部品が設置された制御ボックス組立体と、前記制御ボックス組立体の頂部開口を覆うための制御ボックス・カバー（７）と、前記制御ボックス組立体の底部側開口を覆うための底部カバー（９）とを有し、前記熱交換器（１０）が、前記底部側開口を通して前記制御ボックスの内部に設置されることをさらに特徴とする請求項２に記載の空気調和装置の屋外ユニット（１）。
【請求項６】
前記底部カバーが、前記熱交換器（１０）から凝縮物を収集するように適合された凹形断面を有し、且つ凝縮物を前記制御ボックス（５）の外部に放出するための排出口（１６）を有することをさらに特徴とする請求項５に記載の空気調和装置の屋外ユニット（１）。
【請求項７】
前記ヒート・シンク（１２）が、相互接続された２組のヒート・シンク・プレート（１３、１４）を有し、前記第１の組のヒート・シンク・プレート（１３）が屋外空気に曝され、前記第２の組のヒート・シンク・プレート（１４）が、前記制御ボックスの囲まれた構造内に保持されることをさらに特徴とする請求項４に記載の空気調和装置の屋外ユニット（１）。
【請求項８】
前記排出口（１６）が、凝縮物をファン・チャンバ（２３）内に放出することを可能にするように配置されることをさらに特徴とする請求項６に記載の空気調和装置の屋外ユニット（１）。
【請求項９】
前記排出口（１６）が、凝縮物を圧縮器チャンバ（２４）内に放出することを可能にするように配置されることをさらに特徴とする請求項６に記載の空気調和装置の屋外ユニット（１）。
【請求項１０】
前記排出口（１６）が、凝縮物を仕切りプレート（１５）に沿って放出するように配置されることをさらに特徴とする請求項８に記載の空気調和装置の屋外ユニット（１）。
【請求項１１】
前記排出口（１６）が、凝縮物を仕切りプレート（１５）に沿って放出するように配置されることをさらに特徴とする請求項９に記載の空気調和装置の屋外ユニット（１）。
【発明の詳細な説明】
【技術分野】
【０００１】
本発明は一般に、空気調和装置に関し、より詳細には、制御ボックス用の冷却システムが組み込まれた空気調和装置に関するものであり、この冷却システムは、特に制御ボックスの内部に配置された発熱構成部品を冷却するために設けられる。
【背景技術】
【０００２】
従来技術において空気調和装置が知られている。空気調和機は一般に、冷媒を熱伝達手段として使用して、内部から外部へ熱を移動させるように働くものである。冷媒は、従来からフロンを、又は現在ではより環境に優しいＣＦＣを含まない冷媒を含む。プロセスは、３つの主要な構成要素、すなわち、圧縮器、（冷却モードにおける凝縮器としても知られる）屋外熱交換器、（冷却モードにおける蒸発器としても知られる）屋内熱交換器、及びキャピラリ・チューブなど膨張性のデバイスを含む。圧縮器及び屋外熱交換器は、通常は屋外ユニットの中に備え付けられる。
【０００３】
最初に、基本的な冷媒サイクルの構造及び挙動を示す。冷媒は、低温、低圧の気体として圧縮器に到達する。次いで圧縮器が冷媒を圧縮し、その結果、冷媒のエンタルピー及び圧力が高まる。
【０００４】
冷媒は、高温、高圧の気体として圧縮器を出て、凝縮器に流入する。凝縮器は、冷媒が熱を周囲の屋外空気へ移動させるのを助ける金属のフィンを有する。この移動が行われるとき、さらに熱エネルギーが周囲の空気に放出され、冷媒が液体に変えられるか、又はほぼ液状に変えられる。
【０００５】
次いで、この高圧の液体が、膨張デバイスを通って蒸発器に流入する。この膨張デバイスは、液体のエンタルピーを保ちながら液体の圧力を低下させる。
【０００６】
冷媒が蒸発するとき、冷媒は蒸発器のまわりの空気から熱を吸収し、その相を液体から気体に変える。蒸発器も、冷媒が熱エネルギーを周囲の空気と交換するのを助ける金属のフィンを有する。
【０００７】
冷媒は蒸発器を出るときまでに、低温、低圧の気体になる。次いで冷媒は圧縮器に戻り、もう一度その循環を開始する。
【０００８】
一般的には、冷媒は外気に熱を放出し、内気から熱を吸収する。プロセスはさらに、屋外ユニット及び室外ユニット内の熱交換器に対応するように配置されたファンの存在によって助けられる。
【０００９】
一般的な空気調和装置において、動作は制御ボックスによって制御される。制御ボックスの内部、特に制御基板（プリント回路基板）の上には、様々な電子構成部品が配置される。制御ボックスは通常、その屋内ユニット及び屋外ユニットの空気調和機のハウジングの中に設置され、リンクを備える。
【００１０】
圧縮器を駆動するためのパワー・トランジスタなど、あらゆる電子構成部品について一般的に知られているように、それらは動作時に熱を発する。通常は、ヒート・シンクが設けられ、発熱構成部品が過度に加熱しないように、発生した熱を制御ボックスの外部へ分散させる。一般的には、マレーシア、タイなどの熱帯の国で利用する場合も、制御ボックスにおける過度の熱の蓄積を防止するには、現在の空気調和機の制御ボックスの典型的なヒート・シンクを実装すれば概ね十分であると考えられる。しかしながら、一般的には、中東諸国内などの厳しい気候及び高温の地域、又はそうした国内の最高温度が５４℃まで達することもあり得る他の同様に高温の地域では、典型的なヒート・シンク装置は、熱の蓄積を防止するには不十分であり、その場合、そうした過度の熱の蓄積が、空気調和機の電子構成部品及びそれらの動作に影響を及ぼし、又はさらに損傷を引き起こす可能性があると考えられる。こうした地域の温度は極端に高いため、ウィンドウ型及びスプリット型の空気調和機に対する需要も一般的にはきわめて高い。
【００１１】
最適な動作、並びにきわめて不都合な高温の気候条件に耐える信頼性を保証するために、制御ボックスに対して十分な冷却装置を備えた空気調和機を提供することが課題である。
【００１２】
前述のことに加えて、砂嵐も脅威である地域では、制御ボックスは、砂が制御ボックスの内部の空洞に入らないように密閉することが期待され、したがって、そうした条件では、さらに電子構成部品が発する熱を放出することができなくなり、したがって、制御ボックス内部の熱の蓄積の問題がいっそう大きくなる。
【００１３】
本発明は、空気調和装置のこれまでの屋外ユニットに対する解決策を提案するものである。特に、制御ボックスが、きわめて不都合な高温の気候条件でも動作することができるように、熱の蓄積を制御するための冷却手段を備えることを提案する。好ましくは、冷却手段は、制御ボックス内に小型の熱交換機構又は蒸発器を配置することによって設けられ、蒸発器は、空気調和機が動作しているとき、制御ボックスの内部をさらに冷やし、したがって、電子構成部品を含む制御基板を冷やすように、制御ボックスの中で空気を強制的に循環させるための冷却ファンをさらに備える。また制御ボックスは、環境から密閉される。
【発明の概要】
【００１４】
本発明の目的は、制御ボックス用の冷却手段を有する、信頼性が高く確実な空気調和装置を提供することである。この制御ボックスは、内部に発熱構成部品を有し、周囲の砂の粒子が流れ込むのを防止するように密閉されるが、冷却手段の動作によって、制御ボックス内の温度が過度に加熱せず、したがって、発熱構成部品も信頼性の高い条件に保たれる。
【００１５】
本発明の他の目的は、空気調和装置の冷却サイクルを用いても組み立てが容易である、空気調和装置の制御ボックスを提供することである。
【００１６】
本発明のこれらの目的及び他の目的は、以下を提供することによって達成される。
【００１７】
それは、空気調和装置の屋外ユニットであって、前記屋外ユニットが、少なくとも１つの主ハウジング、屋外ユニットのファン、圧縮器、屋外ユニットの熱交換器、及び前記主ハウジングの中に設置された制御ボックスを有し、前記制御ボックスが囲まれた構造体であり、また前記制御ボックスが、動作中に熱を発する発熱構成部品と、前記制御ボックスの内部に設置され、前記空気調和装置が動作しているとき、空気調和装置の冷媒を利用する冷却手段とを有することを特徴とする屋外ユニットである。
【００１８】
冷却手段は、最大の冷却能力を利用して冷却ボックス内部の周囲空気を冷やすように、冷却ボックスの内部に配置することが好ましい。冷却手段が、制御ボックス内部の熱を吸収するための熱交換器、及び制御ボックス内の周囲空気を攪拌する且つ／又は循環させるために設置されたファンを備えることも好ましい。制御ボックスの周囲空気を循環させるときには、空気の循環が、少なくとも制御ボックス内に保持された制御基板の両側に沿って流れるように構成されることがさらに好ましいが、その理由は、一般的に制御基板はプレートの形であり、発熱構成部品が一方の側だけではなく両方の側に取り付けられる可能性があること、また制御基板は通常、制御ボックス内に水平に配置され、発熱構成部品が取り付けられた側の反対側が屋外ユニットの頂部カバーに面し、放射熱の影響を受ける可能性があることである。
【００１９】
また制御ボックスが、前記発熱構成部品が設置された制御ボックス組立体、並びに前記制御ボックス組立体の頂部の開口を覆うための制御ボックス・カバー、及び前記制御ボックス組立体の底部側の開口を覆うための底部カバーを備えることも好ましく、冷却手段の熱交換器は、屋外ユニットの組み立ての便宜上、前記底部側の開口を通して前記制御ボックスの内部に設置される。さらに、底部カバーが、前記熱交換器から凝縮物を収集するように適合された凹形断面を有し、且つ凝縮物を前記制御ボックスの外部へ放出するための排出口を有することが好ましい。したがって、底部カバーが同時にドレン・パンとして機能するとより好都合である。
【００２０】
また熱交換器が、制御ボックス組立体の構造と底部カバーの構造の間に保持された状態で固定される場合には、冷却手段が冷却サイクルの一部を利用する場合、冷却手段の熱交換器が、銅管などの冷却サイクルの接続管によってその位置にほぼ固定されるため、屋外ユニットの組み立てはより簡単になるが、より簡単に組み立て可能にするためにどのように設計するかもきわめて重要である。
【００２１】
また冷却手段をヒート・シンクと組み合わせることによって、制御ボックス内に存在する熱を低減することも好ましい。ヒート・シンクは、冷却手段並びに外部の周囲空気によって冷却することが可能な構造を備える。したがって、ヒート・シンクが相互接続された２組のヒート・シンク・プレートを有し、第１の組のヒート・シンク・プレートが屋外空気に曝され、第２の組のヒート・シンク・プレートが、熱を放出する能力を高め、ヒート・シンクの構造をより単純にするために、制御ボックスの囲まれた構造の中に保持されることが好ましい。
【００２２】
また底部カバーの排出口が、凝縮物をファン・チャンバの中、又は圧縮器チャンバの中に放出することを可能にするように配置されることも好ましい。排出口がファン・チャンバに面しているときには、凝縮物を周囲空気へ放出することがより簡単になる。一方において、排出口が圧縮器チャンバに面しているときには、砂の流れから影響を受け、砂の粒子が排出口を通って制御ボックスに流れ込むのを防止するようにより高い信頼性を要する。
【００２３】
ここでは、排出口が、仕切りプレートに沿って凝縮物を放出するように配置されることがさらに好ましい。仕切りプレート上に、溝又はウェルト（ｗｅｌｔ）のような、凝縮物を仕切りプレートに沿って導くものが形成された場合には、制御ボックスから放出された凝縮物を、はね返しなしに屋外ユニットの底部プレートへ導くことがより簡単になる。
【００２４】
次に、本発明の実施例を、添付図面を参照して例示のためにのみ説明する。
【図面の簡単な説明】
【００２５】
【図１】制御ボックス用の冷却機構が組み込まれ、本発明の好ましい実施例に従って構成された空気調和装置の屋外ユニットの概略図である。
【図２】本発明による空気調和装置の冷却サイクルの実施例を示す図である。
【図３】本発明の好ましい実施例に従って構成された制御ボックスの分解断面図である。
【図４】本発明の実施例に従って構成された、組み立て後の制御ボックスの断面図である。
【図５】本発明の実施例に従って構成された制御ボックス組立体の側断面図である。
【図６】本発明に組み込まれた好ましいヒート・シンクの構成を示す、制御ボックスの部分断面図である。
【図７】本発明の制御ボックス組立体の斜視図である。
【図８】組み立てられていない状態で、制御ボックス組立体を冷却手段の熱交換器と共に示す部分斜視図である。
【図９ａ】制御ボックス組立体を、適所に配置された冷却手段の熱交換器と共に示す別の部分斜視図である。
【図９ｂ】制御ボックス組立体を、適所に配置された冷却手段の熱交換器と共に示す別の部分斜視図である。
【図１０ａ】本発明の凝縮物の水を排出するためのドレン・パン組立体の選択肢に関する簡易化した断面図である。
【図１０ｂ】本発明の凝縮物の水を排出するためのドレン・パン組立体の選択肢に関する簡易化した断面図である。
【図１０ｃ】本発明の凝縮物の水を排出するためのドレン・パン組立体の選択肢に関する簡易化した断面図である。
【発明を実施するための形態】
【００２６】
これまでに言及したように、また図１及び図２を参照すると、典型的なスプリット型の空気調和装置は、一般的に屋内ユニット１９及び屋外ユニット１を含む。屋外ユニットの主ケーシング２の中に、ファン３、圧縮器４、凝縮器２２及び制御ボックス５が設置される。すべての空気調和機装置において、動作は制御ボックス５によって制御される。空気調和機が意図した通りに動作することを保証するために、様々な電子構成部品が制御ボックス５の制御基板８上に配置される。ほとんどの電子構成部品に共通するのは、それらの動作が熱を発することである。通常は、制御ボックス、発熱構成部品が過度に加熱せず、それらの信頼性を保つように、ヒート・シンク１２が設けられ、圧縮器を制御ボックスの外部に対して駆動するためのＩＧＢＴなどの発熱構成部品から発生した熱を分散させる。
【００２７】
周知の従来技術の制御ボックスとは異なり、本発明の制御ボックスは、有利には空気調和装置の冷媒並びにヒート・シンクを利用して、制御ボックス５の内部、制御基板、及び制御ボックス内に配置され、空気調和装置が動作しているときに制御ボックス内で利用することができる任意の他の発熱電子構成部品をさらに冷却することを可能にする冷却手段６を備える。中東諸国など厳しい高温の気候条件で利用する場合、現在の空気調和機の制御ボックスの典型的なヒート・シンクを実装しても、制御ボックス内での過度の熱の蓄積を軽減及び防止するには不十分であるため、この追加の冷却機構が特に必要とされる。この有利な特徴は、一般的には厳しい気候条件の国での利用を意図しているが、熱帯のマレーシア、タイなど他のそれほど厳しくない気候の国でも、やはりそうした有利な特徴を利用することが可能であり、構成部品の動作による熱の蓄積、並びに空気調和機の電子構成部品及びそれらの動作に悪影響を及ぼす、又は損傷を引き起こす可能性のある気候による熱の蓄積も防止することができる。
【００２８】
図２は、本発明において具体化される冷却サイクルの原理を示している。一般的な冷却サイクルは、圧縮器４、屋外熱交換器２２、キャピラリ・チューブなどの膨張デバイス２８及び屋内熱交換器２０から構成され、それらは、冷媒が循環できるように互いに接続される。熱交換器２０、２２に対しては、それに応じて周囲空気への熱伝達及び周囲空気からの熱伝達を助けるためにファン２１、３が備え付けられる。冷却手段６は、膨張デバイス２８と蒸発器（ここでは冷却モードの屋内熱交換器２０）の間に直列に配置された熱交換器１０、及び制御ボックス５内の熱交換器１０を通る周囲空気の循環を引き起こすためのファン１１を備える。冷却手段６は、空気調和機が動作しているときにそれを冷却するために、空気調和装置の冷却サイクルを利用する。この図では、熱交換器１０において２相（液体／気体）の冷媒が、制御ボックス５内の発熱構成部品から熱を吸収し、したがって、制御ボックスの内部の温度を下げる。
【００２９】
図に示すように、冷却手段６は、有利には空気調和機自体の通常の冷却サイクルを利用して、制御ボックス、その制御基板並びに制御ボックス内の電子構成部品に対する冷却機構を実現し、また冷却ファン１１の助けによってそれをさらに冷却する。ここでは、冷却手段６の熱交換器１０が膨張デバイスと蒸発器の間に配置されているが、蒸発器と屋外ユニット内の圧縮器との間に配置し、熱交換器１０に冷却能力を与えることも可能である。
【００３０】
図３は、制御ボックス５組立体の全体的な構成及び位置決めに関する分解断面図を示し、図４は、本発明によって具体化された制御ボックスのさらに詳しい構成を示す。示されるように、制御ボックス５は、制御ボックス組立体１７、制御ボックス組立体１７の頂部の開口を覆うための制御ボックス・カバー７、及び制御ボックス組立体１７の底部の開口を覆うための底部カバー９を備える。制御ボックス組立体１７は通常、ＩＧＢＴなどの発熱構成部品１８を取り付ける制御基板８を含む。ＩＧＢＴのように多くの熱を発するいくつかの発熱構成部品に対して、ヒート・シンク１２が設けられる。周囲空気を循環させるために、制御ボックス５の内部に冷却手段が配置される。しかしながら、この意味において、この図では熱交換器１０及びファン１１が制御ボックス組立体１７の中に配置されているが、制御ボックス５内で低温の空気循環を行うために、それらを底部カバー９又は頂部カバー７の中に配置することが可能である。しかしながら、前述の発熱構成部品を制御基板上に取り付ける実例において、発熱構成部品を、制御ボックス内の制御基板上ではないところに配置することができる。
【００３１】
さらに図４を参照すると、熱交換器は、空気調和機の冷却サイクルと物理的な流体接続を有するように配置され、それによって、制御ボックスの冷却手段の熱交換器１０は、制御ボックスの中で蒸発器として動作する。そうした蒸発器は、冷却サイクルを通して熱を取り除くことにより、制御ボックス内の電子構成部品によって生成される熱を軽減することができる。
【００３２】
図５は、本発明の実施例に従って構成された制御ボックス組立体の側断面図を示し、図６は、本発明のヒート・シンクの具体的な構造を示す、制御ボックスの詳細な部分断面図を示す。発生した熱は、ヒート・シンク１２の配置によってもさらに低減される。好ましくは、ヒート・シンク１２は、相互接続された２組のヒート・シンク・プレート１３、１４を有するように構成され、第１の組のヒート・シンク・プレート１３は屋外空気に曝され、第２の組のヒート・シンク・プレート１４は、制御ボックスの囲まれた構造の中に保持され、したがって、ヒート・シンク・プレート１４を、制御ボックス５組立体の中を循環する冷却された空気に曝す。実際には、曝されたヒート・シンク・プレート１３は外部の空気によって冷やされ、内部に曝されたヒート・シンク・プレート（１４）は、制御ボックス内を循環する冷却された空気によって冷やされる。
【００３３】
制御ボックス５内での滑らかな冷却された空気の循環を実現するには、空気の流路２７がヒート・シンク１２の横にあることが期待される。図５に示すように、発熱構成部品１８は、制御基板８とヒート・シンク１２の間に結合され、そこに狭い空間、すなわちある種の空気の流路も構成される。しかし、断面積の大きさは、冷却された空気を制御ボックス内で滑らかに循環させるには不十分である。しかしながら、ファンからの空気の流れが、基本的に第２の組のヒート・シンク・プレート１４に向かって吹き付けられ、第２の組のヒート・シンク・プレート１４の横又は近くの空気の流路２７を通しても吹き付けられる。
【００３４】
冷却された空気は、開口を通って出る前のかなりの時間にわたり、制御基板８並びにその上に取り付けられた電子構成部品と接触し、したがって、好ましくはそれらを効率的に冷却する。
【００３５】
図７は、本発明の制御ボックスの別の斜視図を示している。適切な排出口１６を有する底部カバー９が、制御ボックス組立体の下側部分に配置される。好ましくは、すべての構成部品が各部品の重なり合う構造を有し、そうした重なり合う部品の構造によって、有利には全体として屋外ユニットを組み立てるために必要な部品の数が低減される。さらに、リブとフックの機構の組み合わせを用いて、それぞれの構成部品を一緒に取り付ける。そうしたリブとフックの組み合わせによって、空気調和装置に対する簡単且つ好都合な組み立て及び分解のプロセスが可能になる。必要な部品の数を最小限に抑えることに加えて、そうした配置によって、小型で軽量の簡易化された構成も可能になる。
【００３６】
図８は、冷却手段６の熱交換器１０を示す、制御ボックス組立体の部分斜視図を示している。熱交換器１０は、図２に示す空気調和装置の冷却サイクルと物理的な流体接続を有するように、適切な配管を備える。底部カバー９は本体の底部で凹形断面を有しており、したがって、熱交換器１０の下に配置されるドレン・パンの機能を有し、空気調和装置が動作している間、熱交換器１０上に発生した凝縮物を受け入れる。熱交換器１０は、底部カバー９上の構造（リブ）に結合され、その構造は制御ボックス組立体１７の上に構成される。
【００３７】
図９ａ及び９ｂは、制御ボックス組立体の別の部分斜視図を示しており、また制御ボックス組立体内の冷却手段の熱交換器１０の位置決めを示している。排出口１６によって、制御ボックス組立体内での凝縮によって形成された水を、必要に応じてファン・チャンバ２３へ除去することが可能になる。図９ｂでは、凝縮物を方向付け、はね返しなしに仕切りプレート１５に沿って放出することができるように、仕切りプレート１５に沿って適切な溝（又はウェルト、２５）が形成されている。
【００３８】
図１０ａ、１０ｂ及び１０ｃも、本発明の凝縮物を放出する構造の簡易化した断面図を示している。底部カバー９が防音板／仕切りプレート１５の頂部に位置決めされ、収集された凝縮による水が、適切な配管又は管路を通って制御ボックス並びに主ケーシングから除去される。熱交換器１０からの凝縮物は、図１０ａに示すように制御ボックス５の外部のファン・チャンバ２３へ放出すること、又は図１０ｂでは圧縮器チャンバ２４へ放出することが可能である。凝縮物を、図１０ｃに示す仕切りプレート１５の表面に沿って放出することも好ましい。
【００３９】
本発明の好ましい実施例が実装された場合、空気調和装置の動作によって生成された熱は、有利には軽減され、したがって、特に厳しい気候の国における任意の気候条件で装置を使用することが可能になる。本発明の好ましい実施例について記述してきたが、それらに様々な変更、改造及び修正を加えることが可能であることを理解すべきである。したがって、本発明は図に示す説明した発明の細部に限定されず、そうした重要ではない細部の変更が当業者には明らかになるであろうことを理解すべきである。
【符号の説明】
【００４０】
１  屋外ユニット
２  主ケーシング
３  ファン
４  圧縮器
５  制御ボックス
６  冷却手段
７  制御ボックス・カバー、頂部カバー
８  制御基板
９  底部カバー
１０  熱交換器
１１  ファン、冷却ファン
１２  ヒート・シンク
１３  ヒート・シンク・プレート
１４  ヒート・シンク・プレート
１５  仕切りプレート
１６  排出口
１７  制御ボックス組立体
１８  発熱構成部品
１９  屋内ユニット
２０  屋内熱交換器、熱交換器
２１  ファン
２２  凝縮器、屋外熱交換器、熱交換器
２３  ファン・チャンバ
２４  圧縮器チャンバ
２５  溝、ウェルト
２７  空気の流路
２８  膨張デバイス
【図１】
2014202398.tif 000003
【図２】
2014202398.tif 000004
【図３】
2014202398.tif 000005
【図４】
2014202398.tif 000006
【図５】
2014202398.tif 000007
【図６】
2014202398.tif 000008
【図７】
2014202398.tif 000009
【図８】
2014202398.tif 000010
【図９ａ】
2014202398.tif 000011
【図９ｂ】
2014202398.tif 000012
【図１０ａ】
2014202398.tif 000013
【図１０ｂ】
2014202398.tif 000014
【図１０ｃ】
2014202398.tif 000015
【外国語明細書】
2014202398000001.pdf